(57)【要約】【課題】風荷重に対し十分に耐え得る強度を持たせるとともに、防水シートの固定部材の配設位置の自由度を向上させて改修作業時の作業性を良好にする。【解決手段】改修具１は、かわら棒葺き屋根または折板屋根の凸部１０２Ａから凸部１０２Ｂに亘って配置され、凸部１０２Ａ及び凸部１０２Ｂに固定される補強部材２と、補強部材２に固定される固定部材３とを備えている。【選択図】図１
2014084607.tif 000002
【特許請求の範囲】
【請求項１】
かわら棒葺き屋根または折板屋根の金属板に形成された第１凸部から第２凸部に亘って補強部材を配置し、該補強部材を上記第１凸部及び上記第２凸部に固定する工程と、防水シートを固定するための固定部材を上記補強部材に固定する工程とを行った後、
上記防水シートで上記屋根を覆い、該防水シートを上記固定部材に固定する工程を行うことを特徴とする金属葺き屋根の改修方法。
【請求項２】
かわら棒葺き屋根または折板屋根の金属板で形成された第１凸部から第２凸部に亘って配置され、上記第１凸部及び上記第２凸部に固定される補強部材と、
上記屋根を覆う防水シートが固定される固定部材とを備え、
上記固定部材は上記補強部材に固定されることを特徴とする金属葺き屋根の改修具。
【請求項３】
請求項２に記載の金属葺き屋根の改修具において、
上記補強部材は、上記第１凸部の頂部から上記第２凸部の頂部まで延びる上板部と、該上板部の側縁から下方へ延びる側板部とを備えていることを特徴とする金属葺き屋根の改修具。
【請求項４】
請求項３に記載の金属葺き屋根の改修具において、
上記補強部材は、上記上板部の両側縁からそれぞれ下方へ延びる第１側板部及び第２側板部を備えており、
上記第１側板部及び上記第２側板部の各々が、上記第１凸部と上記第２凸部に固定されていることを特徴とする金属葺き屋根の改修具。
【発明の詳細な説明】
【技術分野】
【０００１】
本発明は、金属板で葺かれた屋根を改修する改修方法及び改修の際に用いられる改修具に関するものである。
【背景技術】
【０００２】
従来から、金属板で葺かれた金属葺き屋根として、かわら棒葺き屋根や折板屋根がある。かわら棒葺き屋根は、野地板にかわら棒を固定し、野地板及びかわら棒を金属板で覆うことによって構成されている。このため、かわら棒葺き屋根には、かわら棒の固定位置に対応して凸部が形成されることになる。また、折板屋根は、金属板を山と谷が交互にできるように折り曲げて形成されたものであり、この折板屋根においても、山の部分が凸部となる。
【０００３】
上記金属葺き屋根の金属板が経年劣化した場合には、防水シートを用いて金属板を上から覆うことよって改修することが行われる。改修時には、例えば特許文献１に開示されているように、金属板の１つの凸部に補強片をビス止めし、さらに、補強片に固着片をビス止めし、その後、屋根の上に防水シートを敷き、その防水シートを固着片に固着するようにしている。
【先行技術文献】
【特許文献】
【０００４】
【特許文献１】特許第２９７８１７１号公報
【発明の概要】
【発明が解決しようとする課題】
【０００５】
ところで、かわら棒葺き屋根や折板屋根の金属板の厚さは０．６〜０．８ｍｍ程度の薄いものが多く、しかも、改修が必要になる頃には、金属板の腐食が進んでいることもあり、金属板の凸部の強度が低下していることが考えられる。
【０００６】
特許文献１の改修方法を使用した場合、補強片には、防水シートの固着片を介して風荷重が作用することになるが、このとき、補強片は金属板の１つの凸部にビス止めしてあるだけなので、１つの凸部に集中的に風荷重が作用することになり、特に強風時には所望の固定強度が得られないことが考えられる。
【０００７】
また、特許文献１では、補強片を金属板の１つの凸部にビス止めしているので、固着片も同じ凸部の上に重なるように配置せざるを得ず、固着片の配設位置が制限されてしまい、改修作業時の作業性が悪いという問題もあった。
【０００８】
本発明は、かかる点に鑑みてなされたものであり、その目的とするところは、金属板で葺かれた屋根を改修する際に、風荷重に対し十分に耐え得る強度を持たせるとともに、防水シートを固定するための部材の配設位置の自由度を向上させて改修作業時の作業性を良好にすることにある。
【課題を解決するための手段】
【０００９】
上記目的を達成するために、本発明では、金属板の第１凸部から第２凸部に亘るように補強部材を配置し、該補強部材を第１凸部及び第２凸部に固定するようにした。
【００１０】
第１の発明は、かわら棒葺き屋根または折板屋根の金属板に形成された第１凸部から第２凸部に亘って補強部材を配置し、該補強部材を上記第１凸部及び上記第２凸部に固定する工程と、防水シートを固定するための固定部材を上記補強部材に固定する工程とを行った後、
上記防水シートで上記屋根を覆い、該防水シートを上記固定部材に固定する工程を行うことを特徴とする金属葺き屋根の改修方法である。
【００１１】
この構成によれば、補強部材が第１凸部及び第２凸部に固定されているので、風荷重が固定部材を介して補強部材に作用した際、第１凸部と第２凸部とに分散することになる。よって、風荷重に対し十分に耐え得る強度が得られる。
【００１２】
また、補強部材が第１凸部から第２凸部に亘っているので、固定部材の配設位置は第１凸部の上や第２凸部の上だけでなく、第１凸部と第２凸部との間で任意に設定することが可能になり、改修作業時の作業性が良好になる。
【００１３】
第２の発明は、かわら棒葺き屋根または折板屋根の金属板で形成された第１凸部から第２凸部に亘って配置され、上記第１凸部及び上記第２凸部に固定される補強部材と、
上記屋根を覆う防水シートが固定される固定部材とを備え、
上記固定部材は上記補強部材に固定されることを特徴とする金属葺き屋根の改修具である。
【００１４】
この構成によれば、第１の発明と同様に、風荷重が第１凸部と第２凸部とに分散することになるので、風荷重に対し十分に耐え得る強度が得られる。また、固定部材の配設位置の自由度が向上し、改修作業時の作業性が良好になる。
【００１５】
第３の発明は、第２の発明において、
上記補強部材は、上記第１凸部の頂部から上記第２凸部の頂部まで延びる上板部と、該上板部の側縁から下方へ延びる側板部とを備えていることを特徴とするものである。
【００１６】
この構成によれば、側板部が上板部のリブのように機能するので補強部材の強度が向上する。
【００１７】
第４の発明は、第３の発明において、
上記補強部材は、上記上板部の両側縁からそれぞれ下方へ延びる第１側板部及び第２側板部を備えており、
上記第１側板部及び上記第２側板部の各々が、上記第１凸部と上記第２凸部に固定されていることを特徴とするものである。
【００１８】
この構成によれば、互いに離れた第１側板部及び第２側板部が第１凸部と第２凸部に固定されるので、補強部材が固定状態で安定するようになる。
【発明の効果】
【００１９】
第１の発明によれば、補強部材を金属板の第１凸部から第２凸部に亘って配置して両凸部に固定し、防水シートの固定部材をその補強部材に固定するようにしたので、風荷重に対し十分に耐え得る強度を持たせることができるとともに、防水シートの固定部材の配設位置の自由度を向上させて改修作業時の作業性を良好にすることができる。
【００２０】
第２の発明によれば、第１凸部から第２凸部に亘って配置され、第１凸部及び第２凸部に固定される補強部材と、防水シートを固定するための固定部材とを備え、固定部材を補強部材に固定するようにしたので、風荷重に対し十分に耐え得る強度を持たせることができるとともに、防水シートの固定部材の配設位置の自由度を向上させて改修作業時の作業性を良好にすることができる。
【００２１】
第３の発明によれば、補強部材が第１凸部の頂部から第２凸部の頂部まで延びる上板部と、上板部の側縁から下方へ延びる側板部とを備えているので、補強部材の強度を向上させることができ、風荷重に対する強度をより一層高めることができる。
【００２２】
第４の発明によれば、互いに離れた第１側板部及び第２側板部を第１凸部と第２凸部に固定することができるので、補強部材を固定状態で安定させることができる。
【図面の簡単な説明】
【００２３】
【図１】改修後の折板屋根の構造を示す斜視図である。
【図２】改修前の折板屋根の構造を示す斜視図である。
【図３】補強部材の斜視図である。
【図４】補強部材の端面図である。
【図５】補強部材の側面図である。
【図６】補強部材を折板屋根に固定した状態を示す斜視図である。
【図７】図１のVII−VII線断面図である。
【図８】改修前のかわら棒葺き屋根の構造を示す斜視図である。
【図９】改修後のかわら棒葺き屋根の構造を示す斜視図である。
【図１０】改修後の丸ハゼ折板屋根の一構造例を示す斜視図である。
【図１１】改修後の丸ハゼ折板屋根の他の構造例を示す斜視図である。
【発明を実施するための形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
図１は、本発明の実施形態にかかる改修方法及び改修具１が適用されて改修された折板屋根の部分断面図である。折板屋根は、Ｈ型鋼等からなる梁１００の上に金属板１０１が固定されることによって構成された金属葺き屋根である（図２に改修前の折板屋根を示す）。金属板１０１は、山と谷が交互にできるように折り曲げて形成されたものであり、山が凸部１０２Ａ，１０２Ｂ、…となり、谷が凹部１０３となる。凸部１０２Ａ，１０２Ｂ，…の頂部１０２ａは平坦面で構成されている。また、凸部１０２Ａ，１０２Ｂ，…の両側面１０２ｂ，１０２ｂは、凹部１０３の両側面と共通になっており、下側へ行くほど凸部１０２Ａ，１０２Ｂ，…の幅が広がるように傾斜した傾斜面で構成されている。さらに、凹部１０３の底面は平坦面で構成されている。隣り合う凸部（第１凸部）１０２Ａの頂部１０２ａと凸部（第２凸部）１０２Ｂの頂部１０２ａとの間隔は、頂部１０２ａの幅（図２の左右方向）よりも広く設定されている。
【００２６】
図１や図７に示すように、改修具１は、補強部材２と固定部材３とを備えている。補強部材２は、凸部１０２Ａから該凸部１０２Ａに隣り合う凸部１０２Ｂに亘って配置され、凸部１０２Ａ及び凸部１０２Ｂに固定される。補強部材２は、図３〜図６に示すように金属製の板材を折り曲げ成形してなるものであり、その板材の厚さは、折板屋根の金属板１０１の厚さよりも厚く設定されている。よって、補強部材２は全体として高い強度を有している。
【００２７】
補強部材２は、凸部１０２Ａから凸部１０２Ｂまで延びる上板部２０と、上板部２０の両側縁部から下方へ延びる第１側板部２１及び第２側板部２２とを備えている。図６に示すように、上板部２０は、凸部１０２Ａの頂部１０２ａに上方から当接する当接部２０ａと、凸部１０２Ｂの頂部１０２ａに上方から当接する当接部２０ｂとを備えている。これら当接部２０ａ，２０ｂは、頂部１０２ａに沿って延びている。
【００２８】
第１側板部２１は、上板部２０の長手方向両端近傍に亘って形成されている。図６に示すように、第１側板部２１の上下方向の寸法は、補強部材２を折板屋根に設置した状態で、折板屋根の凹部１０３の底部１０３ａから上方に離れるように設定されており、第１側板部２１が凹部１０３の底部１０３ａに干渉しないようになっている。
【００２９】
第１側板部２１の長手方向の両端部には、第１固定板部２３及び第２固定板部２４がそれぞれ設けられている。第１固定板部２３は、凸部１０２Ａにビス止めによって固定されるものである。第１固定板部２３は、第１側板部２１を折り曲げることによって形成されており、第２側板部２２側とは反対側に突出するように、かつ、凸部１０２Ａの側面１０２ｂに沿うように形成されている。図３や図４に示すように、第１固定板部２３には、ビス２９が挿通するビス挿通孔２３ａが形成されている。
【００３０】
第２固定板部２４は、凸部１０２Ｂにビス止めによって固定されるものである。第２固定板部２４も、第１側板部２１を、第２側板部２２側とは反対側に突出するように折り曲げることによって形成されており、凸部１０２Ｂの側面１０２ｂに沿うように形成されている。第２固定板部２４にも、ビス２９が挿通するビス挿通孔２４ａが形成されている。
【００３１】
第２側板部２２は第１側板部２１と同様に構成されており、第１側板部２１と略平行に延びている。第２側板部２２の長手方向の両端部に、第１固定板部２５及び第２固定板部２６がそれぞれ設けられ、第１固定板部２５は、凸部１０２Ａにビス止めによって固定され、第２固定板部２６は、凸部１０２Ｂにビス止めによって固定される。第１固定板部２５にはビス挿通孔２５ａが形成され、第２固定板部２６にはビス挿通孔２６ａが形成されている。
【００３２】
図７に示す固定部材３は、平面視で円形に形成された金属製の板材を有しており、補強部材２にビス止めされる。固定部材３の中央部には、ビス３０が挿通するビス挿通孔３ａが形成されている。固定部材３のビス挿通孔３ａ周りには、下方へ窪む凹部３１が形成されている。固定部材３の周縁部には、下方へ突出して周方向に延びる突条部３２が形成されている。固定部材３の上面には、防水シートに溶着する樹脂材からなる樹脂材層３３が一体に設けられている。
【００３３】
次に、上記のように構成された改修具１を用いて行う折板屋根の改修方法について説明する。まず、図６に示すように、補強部材２を折板屋根の金属板１０１に固定する。すなわち、補強部材２を金属板１０１の上方から下方へ移動させていき、補強部材２の当接部２０ａを凸部１０２Ａの頂部１０２ａに当接させ、当接部２０ｂを凸部１０２Ｂの頂部１０２ａに当接させる。この状態で、上板部２０が凸部１０２Ａから凸部１０２Ｂに亘って延び、橋架した状態となる。また、第１側板部２１の第１固定板部２３が凸部１０２Ａの側面１０２ｂに沿って延び、また、第１側板部２１の第２固定板部２４が凸部１０２Ｂの側面１０２ｂに沿って延び、また、第２側板部２２の第１固定板部２５が凸部１０２Ａの側面１０２ｂに沿って延び、さらに、第２側板部２２の第２固定板部２６が凸部１０２Ｂの側面１０２ｂに沿って延びる。
【００３４】
その後、第１固定板部２３のビス挿通孔２３ａにビス２９を挿通し、ビス２９を金属板１０１に螺合させて第１固定板部２３を固定する。同様にして第２固定板部２４、第１固定板部２５及び第２固定板部２６を固定する。第１固定板部２３と第１固定板部２５とは補強部材２の幅方向に離れており、第２固定板部２４と第２固定板部２６とも同様に離れているので、補強部材２は幅方向に離れた複数箇所が金属板１０１に固定されることになる。よって、補強部材２は安定する。
【００３５】
次いで、図７に示すように、金属板１０１の上に断熱材４０を置き、その断熱材４０の上面に、固定部材３を補強部材２に対応するように配置する。このとき、補強部材２が凸部１０２Ａから凸部１０２Ｂに亘って延びるものであるため、固定部材３の配設位置は、補強部材２の上板部２０上であれば、凸部１０２Ａと凸部１０２Ｂとの間であってもよく、任意に設定することが可能になり、改修作業時の作業性が良好になる。
【００３６】
固定部材３の配設位置を決定した後、ビス３０を固定部材３のビス挿通孔３ａに挿通して断熱材４０を貫通させて補強部材２の上板部２０に螺合させる。これにより、固定部材３が補強部材２に固定されるとともに、断熱材４０が固定部材３により上方から補強部材２に押さえ付けられて固定される。
【００３７】
しかる後、防水シート５０を、断熱材４０を覆うように折板屋根の全体に敷く。防水シート５０を敷いた後、溶着器（図示せず）を用いて防水シート５０を固定部材３に固着していく。すなわち、溶着器を防水シート５０の上から固定部材３の直上方に配置すると、溶着器の内部に設けられた誘導コイルの励磁によって電磁誘導作用を起こし、固定部材３の金属部分が発熱する。この固定部材３の発熱により、樹脂材層３３が溶融して防水シート５０に付着し、樹脂材層３３が固化すると防水シート５０が固定部材３に固着した状態になる。
【００３８】
尚、溶着器を使用することなく、溶剤を用いて樹脂材層３３や防水シート５０を溶かして防水シート５０を固定部材３に固着するようにしてもよい。
【００３９】
本実施形態にかかる改修方法によれば、断熱材４０により折板屋根に断熱性を与えることができ、また、防水シート５０により防水性を与えることができる。
【００４０】
そして、例えば強風時には固定部材３を介して補強部材２に風荷重が作用することになる。この風荷重は、補強部材２から２つの凸部１０２Ａ及び凸部１０２Ｂに分散して作用する。よって、風荷重に対し十分に耐え得る強度が得られる。
【００４１】
以上説明したように、この実施形態によれば、補強部材２を金属板１０２の凸部１０２Ａから凸部１０２Ｂに亘って配置して凸部１０２Ａ及び凸部１０２Ｂに固定し、防水シート５０の固定部材３を補強部材２に固定するようにしたので、風荷重に対し十分に耐え得る強度を持たせることができるとともに、固定部材３の配設位置の自由度を向上させて改修作業時の作業性を向上させることができる。
【００４２】
また、補強部材２の上板部２０に第１側板部２１及び第２側板部２２を設けたので、補強部材２の強度を向上させることができ、防水シート５０を強固に固定できる。
【００４３】
また、互いに離れた第１側板部２１及び第２側板部２２を凸部１０２Ａと凸部１０２Ｂに固定したので、補強部材２を固定状態で安定させることができ、このことによっても防水シート５０を強固に固定できる。
【００４４】
尚、本発明にかかる改修方法及び改修具１は、折板屋根以外にも、図９に示すかわら棒葺き屋根を改修する場合にも適用することができる。かわら棒葺き屋根に適用する場合には、補強部材２の形状をかわら棒葺き屋根の金属板２０１の形状に対応するように変更すればよい。かわら棒葺き屋根は、図８に改修前の状態を示すように、梁２００の上に金属板２０１が固定されることによって構成されている。金属板２０１は、かわら棒の配設位置に対応して凸部２０２Ａ（第１凸部），２０２Ｂ（第２凸部），…が形成されている。凸部２０２Ａの側面は略鉛直に延びている。凸部２０２Ａと凸部２０２Ｂとの離間寸法は、凸部２０２Ａの頂部２０２ａの幅よりも広く設定されている。
【００４５】
従って、図９に示すように、かわら棒葺き屋根用の補強部材２は、凸部２０２Ａから凸部２０２Ｂに亘って配置され、凸部２０２Ａ及び凸部２０２Ｂに固定される。補強部材２の第１〜第４固定板部は凸部２０２Ａ，２０２Ｂの側面に沿うように略鉛直に延びることになる。この場合も、風荷重を凸部２０２Ａ及び凸部２０２Ｂに分散させることができる。また、防水シート５０の固定部材３の配設位置の自由度を向上させて改修作業時の作業性を良好にすることができる。
【００４６】
また、図１０及び図１１に示すように、本発明は、丸ハゼ折板屋根を改修する場合に適用することもできる。丸ハゼ折板屋根は、折板屋根の一種であり、２枚の金属板１０１を凸部１０２Ａにおいて一緒に曲げて接合してある。よって、凸部１０２Ａには、上方へ突出する接合部１０４が形成されることになる。図１０に示す構造例では、断熱材４０を丸ハゼ折板屋根の接合部１０４の上端に載置しており、補強部材２と断熱材４０との間には空間がある。断熱材４０は、ビス３０を用いて補強部材２に固定される。
【００４７】
また、図１１に示す構造例では、補強部材２の当接部２０ａ，２０ｂが丸ハゼ屋根の接合部１０４，１０４にそれぞれ上方から当接している。そして、補強部材２の上面に断熱材４０が載置されており、図７に示す折板屋根の場合と同様に固定される。
【００４８】
尚、上記実施形態では、補強部材２を凸部１０２Ａ，２０２Ａ及び凸部１０２Ｂ，２０２Ｂの側面１０２ｂ，１０２ｂにビス止めするようにしているが、これに限らず、例えば頂部１０２ａ，１０２ａにビス止めするようにしてもよい。
【００４９】
また、補強部材２のビス止め箇所は４つに限られるものではなく、任意の数に設定することができる。
【産業上の利用可能性】
【００５０】
以上説明したように、本発明にかかる金属葺き屋根の改修方法及び改修具は、例えば、かわら棒葺き屋根や折板屋根に適用することができる。
【符号の説明】
【００５１】
１              改修具
２              補強部材
３              固定部材
２０            上板部
２１            第１側板部
２２            第２側板部
２３            第１固定板部
２４            第２固定板部
２５            第１固定板部
２６            第２固定板部
４０            断熱材
５０            防水シート
１０１，２０１        金属板
１０２Ａ，２０２Ａ    第１凸部
１０２Ｂ，２０２Ｂ    第２凸部
【図１】
2014084607.tif 000003
【図２】
2014084607.tif 000004
【図３】
2014084607.tif 000005
【図４】
2014084607.tif 000006
【図５】
2014084607.tif 000007
【図６】
2014084607.tif 000008
【図７】
2014084607.tif 000009
【図８】
2014084607.tif 000010
【図９】
2014084607.tif 000011
【図１０】
2014084607.tif 000012
【図１１】
2014084607.tif 000013